(57)【特許請求の範囲】
【請求項１】
入力側の信号線をばね力によって保持する接触ばねと、導電材料により形成され出力側の信号線が接続される出力端子を設けた出力端子枠と、絶縁材料により形成され接触ばねと出力端子枠との間に配置されるセパレータとを器体に備え、前記出力端子が内側導体を外側導体で囲繞した形状であり、前記外側導体内において前記内側導体と前記外側導体とを絶縁する内部絶縁体が前記セパレータと同時一体成形されていることを特徴とするテレビコンセント。
【請求項２】
前記内側導体が前記接触ばねから延長され、前記外側導体が前記出力端子枠と連続一体であって筒状に形成されていることを特徴とする請求項１記載のテレビコンセント。
【請求項３】
導電材料により形成され入力側の信号線を保持する機能を有した入力端子枠と、絶縁材料により形成され前記接触ばねと入力端子枠との間に配置される端子カバーとを備えることを特徴とする請求項１記載のテレビコンセント。
【請求項４】
前記端子カバーに脚部が突設され、脚部が前記出力端子枠と前記セパレータとの少なくとも一方に固定されることを特徴とする請求項３記載のテレビコンセント。
【請求項５】
前記セパレータに前記脚部が嵌合する連結溝が形成されていることを特徴とする請求項４記載のテレビコンセント。
【請求項６】
導電材料により形成され入力側の信号線を保持する機能を有した入力端子枠を備え、前記入力端子枠と前記セパレータとが凹凸係合されることを特徴とする請求項１記載のテレビコンセント。
【請求項７】
前記端子カバーにおいて接触ばねに入力側の信号線を接続する際に接触ばねが移動する側に、前記接触ばねと前記入力端子枠との間に位置する垂れ壁を延設していることを特徴とする請求項３記載のテレビコンセント。
【請求項８】
前記セパレータが前記接触ばねの要所を支持する支持リブを備えることを特徴とする請求項１記載のテレビコンセント。
【請求項９】
前記端子カバーの内周面において接触ばねへの入力側の信号線の導入方向の移動を規制するように接触ばねに当接する段差部が形成されていることを特徴とする請求項３記載のテレビコンセント。
【請求項１０】
前記出力端子枠に前記出力端子がかしめ固定され、前記セパレータにおける前記出力端子枠との対向面に、出力端子枠と出力端子とのかしめ部分を避ける凹部を形成していることを特徴とする請求項１記載のテレビコンセント。
【発明の詳細な説明】
【０００１】
【発明の属する技術分野】
本発明は、テレビコンセントに関するものである。
【０００２】
【従来の技術】
従来より、放送信号を受信するテレビジョン受像器やビデオ機器を着脱可能に接続するために壁等の施工面に施工されるテレビコンセントが提供されている。この種のテレビコンセントとしては、図１５および図１６に示すように、後面（図１５の上面）が開放された合成樹脂製のカバー１２０に覆着される導電性の入力端子枠１１２を備え、入力端子枠１１２に対して起伏自在に設けた押さえ体１１４によって入力側の信号線となる同軸ケーブルを保持し、カバー１２０の前面側に露出する同軸コネクタ１３０に対して、テレビジョン受像器などに接続される出力側の信号線に接続された同軸接続器（同軸接栓）を着脱可能に接続する構成が知られている。カバー１２０の内部には同軸コネクタ１３０の内側導体１３２と入力側の信号線の中心導体を保持する接触ばね１３４とを連続一体に形成した導電部材が配置され、接触ばね１３４は合成樹脂成形品である端子カバー１１６により覆われている。さらに、同軸コネクタ１３０の外側導体１３１は板金により円筒状に形成され、外側導体１３１に突設された接続片１３１ａが入力端子枠１１２に接続されている。
【０００３】
接触ばね１３４は図の上方（つまり、入力端子枠１１２に直交する方向）から導入される同軸ケーブルの中心導体が保持可能となるように形成されており、押さえ体１１４は入力端子枠１１２に沿わせた形で同軸ケーブルを保持するように形成されている。したがって、図１５および図１６に示す従来構成では、同軸ケーブルの中心導体の接続位置と、同軸ケーブルを押さえ体１１４で保持する位置との間で中心導体が曲がることになる。同様の構成としては端子カバー１１６を設けていない図１７のような構造もある。
【０００４】
上述したテレビコンセントに対して、図１８に示すように、入力側の信号線となる同軸ケーブルの中心導体を曲げないようにした構成が考えられる。この構成では、入力端子枠１１２に沿って配線される中心導体を保持できるように接触ばね１３４が形成されている。
【０００５】
上述した従来の構成例では、カバー１２０において同軸コネクタ１３０が露出する面の裏面側において入力側の信号線となる同軸ケーブルを保持する構成を採用しているが、図１９のように、同軸コネクタ１３０が露出する面と入力側の信号線を接続する面とが直交する構成もある。図１９に示す構成例では、カバー１２０によって前シールド枠１１１を保持し、前シールド枠１１１に後シールド枠１１５を組み合わせることによって筐体１１０を構成してある。また、前シールド枠１１１の側面には入力側の信号線となる同軸ケーブルを保持する押さえ板１１７が取り付けられており、カバー１２０の側面にはねじ付きの端子１１８が露出する。筐体１１０の内部には同軸コネクタ１３０と端子１１８とを接続するためのプリント基板１１９が収納される。
【０００６】
【発明が解決しようとする課題】
ところで、上述した従来構成では、同軸ケーブルの外側導体と中心導体とにそれぞれ接続される部材間が、カバー１２０の内部において十分に絶縁されているとは言えず、カバー１２０の内部において同軸ケーブルの外側導体と中心導体とが電気的に接触する可能性がある。
【０００７】
本発明は上記事由に鑑みて為されたものであり、その目的は、同軸ケーブルの外側導体と中心導体とが内部において電気的に接触する可能性をより低減したテレビコンセントを提供することにある。
【０００８】
【課題を解決するための手段】
請求項１の発明は、入力側の信号線をばね力によって保持する接触ばねと、導電材料により形成され出力側の信号線が接続される出力端子を設けた出力端子枠と、絶縁材料により形成され接触ばねと出力端子枠との間に配置されるセパレータとを器体に備え、前記出力端子が内側導体を外側導体で囲繞した形状であり、前記外側導体内において前記内側導体と前記外側導体とを絶縁する内部絶縁体が前記セパレータと同時一体成形されているものである。
【０００９】
請求項２の発明は、請求項１の発明において、前記内側導体が前記接触ばねから延長され、前記外側導体が前記出力端子枠と連続一体であって筒状に形成されているものである。
【００１０】
請求項３の発明は、請求項１の発明において、導電材料により形成され入力側の信号線を保持する機能を有した入力端子枠と、絶縁材料により形成され前記接触ばねと入力端子枠との間に配置される端子カバーとを備えるものである。
【００１１】
請求項４の発明は、請求項３の発明において、前記端子カバーに脚部が突設され、脚部が前記出力端子枠と前記セパレータとの少なくとも一方に固定されるものである。
【００１２】
請求項５の発明は、請求項４の発明において、前記セパレータに前記脚部が嵌合する連結溝が形成されているものである。
【００１３】
請求項６の発明は、請求項１の発明において、導電材料により形成され入力側の信号線を保持する機能を有した入力端子枠を備え、前記入力端子枠と前記セパレータとが凹凸係合されるものである。
【００１４】
請求項７の発明は、請求項３の発明において、前記端子カバーにおいて接触ばねに入力側の信号線を接続する際に接触ばねが移動する側に、前記接触ばねと前記入力端子枠との間に位置する垂れ壁を延設しているものである。
【００１５】
請求項８の発明は、請求項１の発明において、前記セパレータが前記接触ばねの要所を支持する支持リブを備えるものである。
【００１６】
請求項９の発明は、請求項３の発明において、前記端子カバーの内周面において接触ばねへの入力側の信号線の導入方向の移動を規制するように接触ばねに当接する段差部が形成されているものである。
【００１７】
請求項１０の発明は、請求項１の発明において、前記出力端子枠に前記出力端子がかしめ固定され、前記セパレータにおける前記出力端子枠との対向面に、出力端子枠と出力端子とのかしめ部分を避ける凹部を形成しているものである。
【００２２】
【発明の実施の形態】
（第１の実施の形態）
本実施形態は、図１ないし図３に示すように、導電材料である板金により形成された出力端子枠１１および入力端子枠１２を結合して形成される筐体１０を備え、この筐体１０は器体としての合成樹脂成形品のカバー２０に収納される。
【００２３】
出力端子枠１１は、長方形状の主片１１ａの長手方向の両側縁に、それぞれ主片１１ａに略直交する側片１１ｂを設けたコ字状に導電性の板金によって形成されている。主片１１ａの短手方向の両側縁には、側片１１ｂと同じ向きに各一対の接触片１１ｃが設けられ、各側片１１ｂの先端縁には各一対の組立片１１ｄが延長されている。主片１１ａの中央部には出力端子としての同軸コネクタ３０が結合される。
【００２４】
同軸コネクタ３０は、円筒状に形成され外周面にねじ部３１ａを有する外側導体３１と、外側導体３１の中心線に沿って配置される内側導体３２と、外側導体３１と内側導体３２との間を絶縁する内部絶縁体３３とからなり、外側導体３１の軸方向の一端部が出力端子枠１１の主片１１ａに結合される。外側導体３１の軸方向の一端部には主片１１ａの中央部に形成した取付孔１１ｅの周縁に当接する外鍔３１ｂが形成され、外鍔３１ｂには、取付孔１１ｅに係合して外側導体３１の出力端子枠１１に対する回り止めを行うボス部３１ｃと、取付孔１１ｅの内周縁に挿入される一対の挿入片３１ｄとが形成されている。一方、取付孔１１ｅは矩形の長手方向の両側縁を外側に膨らむ弧状とした小判状に形成され、短手方向の両側縁に切欠１１ｆが形成されている。外側導体３１に設けたボス部３１ｃは、取付孔１１ｅの短手方向の両側縁および切欠１１ｆに係合可能な断面形状を有し、挿入片３１ｄは取付孔１１ｅの長手方向の両側縁の弧状部分に沿って湾曲した断面形状を有している。出力端子枠１１と外側導体３１とは溶接やかしめにより固着される。また、外側導体３１は円筒状であるから中心孔３１ｅが形成されている。
【００２５】
外側導体３１とともに同軸コネクタ３０を構成する内側導体３２は、入力側の信号線となる同軸ケーブルの中心導体を保持する接触ばね３４と連続一体に形成されている。内側導体３２は、図２に示すように、互いに対向する一対の受け片３２ａの一端部の側縁間を連結片３２ｂを介して連結した形状に導電性の板金により形成され、両受け片３２ａの間にＦ型接栓の中心コンタクトを保持する。両受け片３２ａは中間部において互いの距離をもっとも小さくするように曲成されており、Ｆ型接栓の中心コンタクトを両受け片３２ａの間に挿入する際に中心コンタクトが両受け片３２ａの間に入りやすく、かつ両受け片３２ａから中心コンタクトに対して十分な接触圧が作用するようにしてある。
【００２６】
連結片３２ｂはＦ型接栓の中心コンタクトが挿入される方向に延長され、連結片３２ｂの先端縁からは連結片３２ｂに直交しかつ出力端子枠１１の主片１１ａに平行に第１接続片３５ａが延長される。さらに、第１接続片３５ａの先端縁からは第１接続片３５ａおよび出力端子枠１１の主片１１ａに直交する第２接続片３５ｂが主片１１ａに沿って延長される。第２接続片３５ｂの先端部からは第２接続片３５ｂの面内で主片１１ａに直交する連結片３４ａが延長される。つまり、第１接続片３５ａおよび第２接続片３５ｂが内側導体３２と接触ばね３４との間の信号経路になる。連結片３４ａは接触ばね３４を構成する一対の受け片３４ｂの端縁間を連結する。ここに、受け片３４ｂと連結片３４ａとの間には段差が形成されている。
【００２７】
接触ばね３４の受け片３４ｂは、内側導体３２の受け片３２ａと同様に、互いに対向するように配置され、中間部において互いの距離をもっとも小さくするように曲成されている。ただし、接触ばね３４はＦ型接栓の中心コンタクトではなく同軸ケーブルの中心導体を挟持する。また、内側導体３２へのＦ型接栓の中心コンタクトの挿入方向と、接触ばね３４への同軸ケーブルの中心導体の挿入方向とは直交している。
【００２８】
外側導体３１と内側導体３２とを絶縁する内部絶縁体３３は絶縁材料である合成樹脂成型品により形成される。内部絶縁体３３は円筒形であって、出力端子枠１１の主片１１ａにほぼ重複する板状のセパレータ１３と同時一体に成形されている。つまり、内部絶縁体３３はセパレータ１３の厚み方向の一面に突設されている。セパレータ１３には内部絶縁体３３の中心孔に連通する挿入孔１３ａが形成されており、挿入孔１３ａを通して内側導体３２が内部絶縁体３３に挿入される。第１接続片３５ａ、第２接続片３５ｂは、セパレータ１３の厚み方向において内部絶縁体３３が突出する面とは反対側の面に沿って配置され、セパレータ１３には第１接続片３５ａおよび第２接続片３５ｂを支持する支持リブ１３ｂ，１３ｃが突設されている。さらに、セパレータ１３には第２接続片３５ｂの配置部位に沿って絶縁リブ１３ｄが突設され、後述するように入力端子枠１２を出力端子枠１１に結合したときに、第２接続片３５ｂと入力端子枠１２との間に絶縁リブ１３ｄが介在するようにしてある。しかして、セパレータ１３は出力端子枠１１と接触ばね３４との間に配置されることになる。
【００２９】
セパレータ１３の長手方向の両端縁にはそれぞれ連結溝１３ｅが形成され、セパレータ１３の短手方向の両端縁にはそれぞれ位置決め突片１３ｆが突設される。さらに、セパレータ１３の四隅には出力端子枠１１に設けた接触片１１ｃに係止されることによって、出力端子枠１１とセパレータ１３とを位置決めする位置決め切欠１３ｇが形成されている。
【００３０】
ところで、上述のように、出力端子枠１１には入力端子枠１２が結合される。入力端子枠１２は長方形状の主片１２ａの短手方向の両側縁に、それぞれ主片１２ａに略直交する側片１２ｂを設けたコ字状に導電性の板金によって形成されている。入力端子枠１２の主片１２ａの長手方向の寸法は出力端子枠１１の長手方向の寸法よりも長く、入力端子枠１２の主片１２ａには出力端子枠１１に設けた組立片１１ｄが挿通される組立孔１２ｃが形成されている。組立孔１２ｃは切り起こし片１２ｄを残して形成され、組立片１１ｄを組立孔１２ｃに挿通し、組立片１１ｄを切り起こし片１２ｄに重ねて折曲することにより、入力端子枠１２が出力端子枠１１にかしめ固定されるようにしてある。入力端子枠１２が出力端子枠１１に結合された状態では、出力端子枠１１に設けた接触片１１ｃが入力端子枠１２の側片１２ｂに圧接することにより、出力端子枠１１と入力端子枠１２とが同電位になるように電気的に接続される。ここに、出力端子枠１１と入力端子枠１２との電気的接続状態を安定させかつ機械的結合強度を高めるために、接触片１１ｃには側片１２ｂに圧接するダボ１１ｇが打ち出されている。
【００３１】
側片１２ｂの先端縁には、セパレータ１３に設けた位置決め突片１３ｆが係合する位置決め凹部１２ｅが形成され、位置決め突片１３ｆと位置決め凹部１２ｅとが係合することによってセパレータ１３に対する入力端子枠１２の位置決めがなされる。さらに、入力端子枠１２の主片１２ａの長手方向の両端縁には筐体１０がカバー２０に収納されたときにカバー２０に対する位置決めを行う固定突片１２ｆが突設され、側片１２ｂには筐体１０がカバー２０に収納されたときにカバー２０に係止される抜止片１２ｇが切り起こしによって形成されている。
【００３２】
ところで、入力端子枠１２は入力側の信号線となる同軸ケーブルを機械的に保持するとともに、同軸ケーブルの外側導体を電気的に接続する機能を有する。すなわち、入力端子枠１２には同軸ケーブルを主片１２ａとの間で挟持する押さえ体１４が取り付けられる。さらに詳しく説明すると、主片１２ａにおいて接触ばね３４に対応する部位には開口窓１２ｈが設けられ、開口窓１２ｈの両側縁には開口窓１２ｈの開口面に直交する形でそれぞれ軸受片１２ｉが突設される。軸受片１２ｉは出力端子枠１１から離れる向きに突設されている。押さえ体１４は入力端子枠１２に対して起伏自在となるように軸受片１２ｉに軸支される。つまり、押さえ体１４は同軸ケーブルを主片１２ａとの間で挟持する押さえ部１４ａから突出する略平行な一対のアーム１４ｂを有するとともに、各アーム１４ｂの先端部に互いに離れる向きに軸部１４ｄを有し、軸部１４ｄが軸受片１２ｉに設けた軸孔１２ｊに挿入されることによって、入力端子枠１２に対して起伏自在となっている。
【００３３】
押さえ部１４ａの一方の側縁には固定ねじ１５が挿通されるねじ受け部１４ｃが形成される。固定ねじ１５は主片１２ａに螺合して押さえ体１４を入力端子枠１２に対して固定する。また、固定ねじ１５の脚部は中間部に鍔を有しており、鍔よりも先端側にのみねじ部が形成されている。しかして、固定ねじ１５を緩めて押さえ部１４ａを主片１２ａから離した状態で同軸ケーブルを押さえ部１４ａと主片１２ａとの間に導入した後、固定ねじ１５を締め付ければ、同軸ケーブルが押さえ部１４ａと主片１２ａとの間に挟持される。ここで、同軸ケーブルの外側導体を露出させ、この露出部位を押さえ部１４ａと主片１２ａとの間に挟持することで、同軸ケーブルの外側導体を入力端子枠１２に電気的に接続することができる。固定ねじ１５を締め付けた状態では、固定ねじ１５の先端部はセパレータ１３に設けた貫通孔１３ｈに挿入される。このようにセパレータ１３に貫通孔１３ｈを設けて固定ねじ１５の先端部が挿入されるようにしているから、固定ねじ１５においてねじ部を形成する部分の長さ寸法を大きくとることができ、結果的に固定ねじ１５を緩めたときに、主片１２から押さえ部１４ａまでの距離を比較的大きくとることが可能になり、同軸ケーブルを導入しやすくなる。しかも、同軸ケーブルは入力端子枠１２の主片１２ａに沿って配置されるから、固定ねじ１５を入力端子枠１２に対して緩めるだけで同軸ケーブルの接続が可能になり、固定ねじ１５を入力端子枠１２から外してしまう場合よりも結線作業が短時間で行えることになる。
【００３４】
上述した開口窓１２ｈには接触ばね３４を覆う端子台１６ａが挿入される。端子台１６ａは合成樹脂成形品である端子カバー１６の一部を構成しており、セパレータ１３に結合される端子カバー本体１６ｂと連続一体に形成されている。端子カバー本体１６ｂはセパレータ１３に跨るコ字状に形成され、中央片に端子台１６ａが突設される。また、端子カバー本体１６ｂの各脚片の先端面には各一対の脚部１６ｃが突設される。各脚片に設けた各一対の脚部１６ｃのうちの各一方はセパレータ１３に設けた連結溝１３ｅに嵌合し、各他方の脚部１６ｃの側面はセパレータ１３の周縁に当接する。この構成によって、端子カバー１６はセパレータ１３に固定される。端子カバー本体１６ｂにはセパレータ１３との対向面に押さえ脚１６ｇが突設され、押さえ脚１６ｇはセパレータ１３に載置されている第１接続片３５ａをセパレータ１３との間に挟持することによって、第１接続片３５ａの浮き上がりを防止する。
【００３５】
端子台１６ａには押さえ体１４の押さえ部１４ａ側の側面に楕円状に開放された導入孔１６ｄが形成され、導入孔１６ｄを形成した側面の裏側となる側面には矩形状の露出孔１６ｅが形成されている。導入孔１６ｄは端子台１６ａに内蔵された接触ばね３４に対応する部位に形成され、導入孔１６ｄに同軸ケーブルの中心導体を挿入すれば、中心導体が接触ばね３４の一対の受け片３４ｂ間に挟持されるようになっている。また、中心導体の露出部位が長い場合には余剰分は露出孔１６ｅに挿入される。したがって、同軸ケーブルの端末部分を剥く寸法にばらつきがあっても、中心導体を接触ばね３４に接続し、かつ押さえ部１４ａと入力端子枠１２との間に外側導体を挟持させることができる。
【００３６】
ここに、端子台１６ａの内部には、図４に示すように、連結片３４ａを受ける段差部１６ｆが形成され、連結片３４ａに連続する受け片３４ｂの基部に対応する端子台１６ａの内周面の幅寸法は受け片３４ｂの基部間の寸法にほぼ一致する。したがって、同軸ケーブルの中心導体を接触ばね３４に差し込むときに、端子台１６ａの中で接触ばね３４が移動するのを防止することができる。また、受け片３４ｂの先端部付近では受け片３４ｂが撓むことができる程度に端子台１６ａの内部空間を広くしてある。ここに、両受け片３４ｂが開く量は受け片３４ｂの基部において端子台１６ａの内周面で規制されており、受け片３４ｂに中心導体を挿入すると受け片３４ｂから中心導体に作用するばね力が大きくなり、大きな接触圧が得られるようにしてある。
【００３７】
端子カバー本体１６ｂの脚片間であって露出孔１６ｅ側の側縁には中央片から脚片の突出方向に延設された垂れ壁１６ｈが形成されている。垂れ壁１６ｈは端子台１６ａが入力端子枠１２の開口窓１２ｈに挿入された状態で接触ばね３４と入力端子枠１２の側片１２ｂとの間に介在し、同軸ケーブルの中心導体を接触ばね３４に挿入する際の力が接触ばね３４に作用して接触ばね３４が移動しても、接触ばね３４が入力端子枠１２に接触するのを防止する。
【００３８】
筐体１０を収納するカバー２０は、ＪＩＳ規格において大角形連用配線器具として規格化されている１個モジュール寸法に形成されている。１個モジュール寸法は、壁面などの施工面に一部を埋め込んで取り付けられる埋込用配線器具の一種である大角形連用配線器具の３個用の取付枠に最大３個取り付けることができる寸法を意味する。したがって、本実施形態のカバー２０は３個用の取付枠に最大３個取り付けることができる。
【００３９】
カバー２０は、前面（図１の下面）の中央部に突台部２０ａが突設され、突台部２０ａの両側に肩部２０ｂが形成された形状を有し、カバー２０の後面は入力端子枠１２の主片１２ａの寸法にほぼ一致するように矩形状に開放されている。突台部２０ａの前面中央部には円形に開口する導入穴２１が形成され、導入穴２１の底面中央部には円形の挿入孔２２が形成される。筐体１０がカバー２０に収納されると、挿入孔２２に同軸コネクタ３０が挿入され、外側導体３１が挿入孔２２を通して導入穴２１の内部に配置される。カバー２０の両肩部２０ｂの側面には、各一対の取付爪２３が突設される。また、突台部２０ａと各肩部２０ｂとに跨る部位には１個ずつの取付孔２４が形成される。
【００４０】
カバー２０において肩部２０ｂを形成していない側壁（つまり、カバー２０の後面の短手方向の両側壁）には入力端子枠１２に設けた抜止片１２ｇが係合する抜止孔２５が形成されている。抜止片１２ｇは前端部が入力端子枠１２に連続する形で切り起こされているから、カバー２０に筐体１０が収納された状態で抜止片１２ｇを抜止孔２５に係合させると、筐体１０はカバー２０に対する後方への移動が阻止される。また、カバー２０の後面側の開口周縁には入力端子枠１２に設けた固定突片１２ｆが係合可能な固定溝２６が形成され、固定突片１２ｆが固定溝２６に係合することによって、入力端子枠１２のカバー２０に対するがたつきが防止される。
【００４１】
一方、カバー２０の内周面には固定溝２６に連続し入力端子枠１２の主片１２ａを載せる補強リブ２７が形成され、さらに補強リブ２７にはカバー２０の内周面からの突出量が補強リブ２７よりも大きい係合リブ２８が連続する。係合リブ２８は出力端子枠１１において主片１１ａと側片１１ｂとに跨る部位に形成された係合溝１１ｈに係合し、カバー２０に対して出力端子枠１１を位置決めするようになっている。
【００４２】
上述したテレビコンセントを組み立てるには、カバー２０に対して各部材を順次組み付ければよい。つまり、カバー２０にまず出力端子枠１１を装着する。このとき、係合溝１１ｈに係合リブ２８が係合することにより、カバー２０に対する出力端子枠１１の位置決めがなされる。次に、外側導体３１の中心孔３１ｅにセパレータ１３と同時一体に形成した内部絶縁体３３を挿入するようにして、出力端子枠１１にセパレータ１３を装着すると、セパレータ１３に設けた位置決め切欠１３ｇが出力端子枠１１の接触片１１ｃに対して位置決めされ、さらに接触ばね３４と連続一体に形成されている内側導体３２をセパレータ１３に設けた挿入孔１３ａに挿入し、支持リブ１３ｂ，１３ｃにより第１接続片３５ａ，３５ｂを位置決めする。次に、端子カバー１６の端子台１６ａを接触ばね３４に合致させ、端子カバー１６の脚部１６ｃをセパレータ１３の連結溝１３ｅに嵌合させると、セパレータ１３に対して端子カバー１６が位置決めされる。最後に、押さえ体１４を取り付けた入力端子枠１２をカバー２０に装着し、抜止片１２ｇを抜止孔２５に係合させ、組立孔１２ｃに組立片１１ｄを挿通した状態で、切り起こし片１２ｄを叩くと、組立片１１ｄが折曲されて出力端子枠１１に入力端子枠１２が結合される。ここで、入力端子枠１２は固定突片１２ｆが固定溝２６に係合するとともに補強リブ２７に入力端子枠１２の主片１２ａが当接し、しかも出力端子枠１１の主片１１ａと側片１１ｂとに跨る部位に設けた係合溝１１ｈがカバー２０の係合リブ２８に係合しているから、固定突片１２ｆをかしめる際に作用する力をカバー２０で受けることが可能になっている。
【００４３】
上述のように、カバー２０に対して一方向から各部材を順次組み付けることで図５に示す外観を有したテレビコンセントを組み立てることができ、部品を組み付ける方向が同じであるから、製造が容易になり組立の自動化も容易に行える。また、本実施形態のテレビコンセントを施工する際には、たとえば図６に示す合成樹脂製の取付枠４０を用いる。この取付枠４０は、左右一対の側枠４１，４２の上下両端間をそれぞれ上枠４３ａと下枠４３ｂとにより連結した矩形枠状であり、側枠４１，４２と上枠４３ａおよび下枠４３ｂとにより囲まれた取付窓４４にカバー２０の突台部２０ａが挿入される。一方の側枠４１には可撓板４５が延設され、可撓板４５に設けた操作片４５ａと側枠４１との間にはカバー２０に設けた取付爪２３が挿入される保持孔４６ａが形成される。また、他方の側枠４２にも取付爪２３が挿入される保持孔４６ｂが形成される。したがって、保持孔４６ｂにカバー２０の一方の側面に突設した取付爪２３を挿入し、その後、側枠４１と可撓板４５との間の保持孔４６ａにカバー２０の他方の側面に突設した取付爪２３を挿入すれば、カバー２０が取付枠４０に結合されるのである。逆に取付枠４０からカバー２０を外すには、マイナスドライバのような工具を用いて操作片４５ａをカバー２０から離れる向きに撓ませればよい。
【００４４】
上枠４３ａおよび下枠４３ｂには、横長に形成されたボックス孔４７が形成され、施工面に埋め込まれた埋込ボックス（図示せず）に取付枠４０を取り付ける際には、ボックス孔４７に挿通されるボックスねじを埋込ボックスに螺合させる。また、ボックス孔４７の左右両側には引掛孔４８が形成される。引掛孔４８は壁パネルのようなパネル材に取付枠４０を取り付ける際に、引掛金具（図示せず）の一端部を引掛孔４８に挿入して引掛金具を取付枠４０に枢支するために用いる。つまり、引掛金具を取付枠４０に枢支した状態で、ボックス孔４７を通して引掛金具に螺合する引締ねじを締め付けると、引掛金具の他端部が取付枠４０に近付くことになる。つまり、パネル材に開口を形成しておき、取付枠４０と引掛金具との間で開口の周部を挟持すれば、取付枠４０をパネル材に固定することができる。ボックス孔４７の近傍にはねじ孔４９も形成されており、化粧プレートなどをねじによって取付枠４０に結合する際にはねじ孔４９を用いる。
【００４５】
図６には出力用の信号線となる同軸ケーブル５０も図示してある。この同軸ケーブル５０にはＦ型接栓５１が取り付けられており、同軸コネクタ３０の外側導体３１に設けたねじ部３１ａにＦ型接栓５１に設けたスリーブ５２を螺合させることによって、同軸コネクタ３０にＦ型接栓５１を結合することができる。
【００４６】
なお、取付枠には金属製のものも提供されており、金属製のものの多くは取付孔２４に挿入可能な爪を塑性変形させるように形成されているが、基本的な構成は合成樹脂製のものと同様である。また、端子カバー１６をセパレータ１３に固定する例を示したが、端子カバー１６に設けた脚部１６ｃを固定する構成を出力端子枠１１に設けることも可能である。さらに、カバー２０が１個モジュール寸法である例を示したが、１．５個モジュール寸法、２個モジュール寸法、３個モジュール寸法のような他の寸法のカバー２０を用いることも可能である。
【００４７】
（第２の実施の形態）
本実施形態は、図７に示すように、同軸コネクタ３０の外側導体３１に設けた挿入片３１ｄを出力端子枠１１にかしめ固定したものである。つまり、挿入片３１ｄは出力端子枠１１の主片１１ａの厚み寸法よりも突出寸法が大きく形成されており、挿入片１１ｄをかしめることによって、外鍔３１ｂと挿入片３１ｄとの間で取付孔１１ｅの周部を挟持することになる。この構成を採用すると、挿入片３１ｄが主片１１ａに対してセパレータ１３側に突出するから、図８のようにセパレータ１３において挿入片３１ｄに対応する部位に凹部１３ｉを形成して、挿入片３１ｄが凹部１３ｉに収まるようにしてある。
【００４８】
このような構成を採用することによって、セパレータ１３を主片１１ａに密着させることができるから、セパレータ１３が出力端子枠１１に対してがたつくことがなく、また、主片１１ａがセパレータ１３を裏打ちすることでセパレータ１３に強度が要求されないから、セパレータ１３の厚み寸法を小さくすることができる。つまり、セパレータ１３に凹部１３ｉを形成していない場合よりもセパレータ１３の厚み寸法が小さくなり、テレビコンセントの奥行き寸法を小さくすることができる。他の構成および動作は第１の実施の形態と同様である。
【００４９】
（第３の実施の形態）
本実施形態は、図９に示すように、第１の実施の形態の構成に加えて、端子カバー本体１６ｂに入力端子枠１２の開口窓１２ｈに挿入される位置決め突起１６ｉを設けたものである。位置決め突起１６ｉは開口窓１２ｈの周縁の角部と軸受片１２ｉとに当接することによって、端子カバー１６して入力端子枠１２を確実に位置決めする。他の構成および動作は第１の実施の形態と同様である。
【００５０】
（第４の実施の形態）
本実施形態は、図１０に示すように、第３の実施の形態の構成とは、同軸コネクタ３０の構造が異なるものである。つまり、第３の実施の形態では同軸コネクタ３０の外側導体３１として出力端子枠１１とは別体に形成したものを出力端子枠１１に固着していたが、本実施形態では絞り加工などによって出力端子枠１１に同軸コネクタ３０の外側導体３１を連続一体に形成したものである。また、外側導体３１にはねじ部３１ａは形成しておらず、同軸ケーブル用の差込型の接栓にのみ対応するようになっている。この構成では、外側導体３１を出力端子枠１１に固着する構造が不要であり、また外側導体３１が出力端子枠１１と連続一体に形成されるから、組立作業が容易であるとともに部品点数も低減する。また、セパレータ１３との対向面が平面であるから、第２の実施の形態のようにセパレータ１３に凹部を形成する必要がなく、セパレータ１３をさらに薄型化することが可能になる。他の構成および動作は第１の実施の形態と同様である。
【００５１】
（第５の実施の形態）
本実施形態は、図１１および図１２に示すように、セパレータ１３としてプリント基板１７の絶縁基板を用いるものである。また、プリント基板１７を用いることによって、第１接続片３５ａおよび第２接続片３５ｂが不要になっている。つまり、第１の実施の形態では同軸コネクタ３０の内側導体３２を接触ばね３４と連続一体に形成していたが、本実施形態では同軸コネクタ３０と接触ばね３４とを別体とし、両者の電気的接続をプリント基板１７によって行うようにしたものである。同軸コネクタ３０の外側導体３１に設けたボス部３１ｃには２本の接続脚３１ｆが突設され、両接続脚３１ｆはプリント基板１７に実装される。また、接触ばね３４における連結片３４ａには接続脚片３４ｃが連続一体に形成され、接続脚片３４ｃはプリント基板１７に実装される。つまり、プリント基板１７が内側導体３２と接触ばね３４との間の信号経路を形成する。プリント基板１７には他の回路部品を実装することが可能であり、本実施形態においては終端抵抗を設けることによって端末用（分岐を行わないテレビコンセント）として用いるように構成してある。また、プリント基板１７は出力端子板１１の主片１１ａから離間しており、出力端子枠１１の側片１１ｂに半田接続される。
【００５２】
本実施形態においては、各部材間の位置決めに関しては簡略化している。つまり、セパレータ１３として機能するプリント基板１７は同軸コネクタ３０が実装されることによって、出力端子枠１１との位置固定がなされるから、接触片１１ｃに対する位置決め切欠は設けておらず、また入力端子枠１２に対する位置決め突片も設けていない。さらに、第１接続片３５ａが存在しないから端子カバー１６には押さえ脚を設けていない。また、補強リブ２７や係合リブ２８も省略している。これらは本実施形態では設けていないが、適宜に設けるようにしてもよいのはもちろんのことである。他の構成および動作は第１の実施の形態と同様である。
【００５３】
（第６の実施の形態）
本実施形態は、送り配線が可能な中継用のテレビコンセントであって、入力された信号を同軸コネクタ３０に分岐するとともに送り用に伝送している。したがって、本実施形態では送り側の信号線を接続する構成が必要であって、この構成は入力側の信号線を接続する構成と同様の構成を有している。図１３および図１４に示すように、本実施形態では第５の実施の形態と同様にプリント基板１７を用い、プリント基板１７に２個の接触ばね３４を実装してある。一方の接触ばね３４は入力側であり他方の接触ばね３４は送り側に用いられる。また、両接触ばね３４を覆うために、端子カバー１６には端子台１６ａを２個設けてあり、これに伴って、押さえ体１４の押さえ部１４ａは２本の同軸ケーブルを保持可能な形状に形成してある。つまり、押さえ部１４ａの中央部に固定ねじ１５を挿通してあり、固定ねじ１５の両側にそれぞれ入力側と送り側との同軸ケーブルが通るようになっている。プリント基板１７には分岐回路が実装される。他の構成および動作は第５の実施の形態と同様である。
【００５４】
本実施形態のテレビコンセントを用いれば、送り用の信号線を介して他のテレビコンセントを接続することができ、信号強度が許容される範囲でテレビコンセントを複数設けることが可能になる。ただし、分岐を必要としないテレビコンセントには第５の実施の形態として説明した端末用のテレビコンセントを用いることになる。また、プリント基板１７に実装する回路としては分岐回路に限らず、分配回路を実装するようにしてもよい。
【００５５】
【発明の効果】
請求項１の発明は、入力側の信号線をばね力によって保持する接触ばねと、導電材料により形成され出力側の信号線が接続される出力端子を設けた出力端子枠と、絶縁材料により形成され接触ばねと出力端子枠との間に配置されるセパレータとを器体に備え、前記出力端子が内側導体を外側導体で囲繞した形状であり、前記外側導体内において前記内側導体と前記外側導体とを絶縁する内部絶縁体が前記セパレータと同時一体成形されているものであり、接触ばねと出力端子枠との間に絶縁材料のセパレータを配置しているので、接触ばねへの信号線の接続時に接触ばねが移動しても接触ばねが出力端子枠に接触することを防止できる。
【００５６】
請求項２の発明は、請求項１の発明において、前記内側導体が前記接触ばねから延長され、前記外側導体が前記出力端子枠と連続一体であって筒状に形成されているものであり、出力端子が出力端子枠と連続一体であるから、部品点数が少なく、組立作業が容易になり、結果的にコストの低減につながる。
【００５７】
請求項３の発明は、請求項１の発明において、導電材料により形成され入力側の信号線を保持する機能を有した入力端子枠と、絶縁材料により形成され前記接触ばねと入力端子枠との間に配置される端子カバーとを備えるものであり、入力端子枠と接触ばねとの間に絶縁材料の端子カバーが配置されるから、接触ばねへの信号線の接続時に接触ばねが移動しても接触ばねが入力端子枠に接触することを防止できる。また、端子カバーによって入力端子枠と接触ばねとの距離を保つから高周波特性が不安定になることがない。しかも、端子カバーによって接触ばねが保護されることになる。
【００５８】
請求項４の発明は、請求項３の発明において、前記端子カバーに脚部が突設され、脚部が前記出力端子枠と前記セパレータとの少なくとも一方に固定されるものであり、端子カバーを定位置に固定することができる。
【００５９】
請求項５の発明は、請求項４の発明において、前記セパレータに前記脚部が嵌合する連結溝が形成されているものであり、端子カバーをセパレータに対して位置固定することができる。
【００６０】
請求項６の発明は、請求項１の発明において、導電材料により形成され入力側の信号線を保持する機能を有した入力端子枠を備え、前記入力端子枠と前記セパレータとが凹凸係合されるものであり、セパレータを入力端子枠に対して位置固定することができる。
【００６１】
請求項７の発明は、請求項３の発明において、前記端子カバーにおいて接触ばねに入力側の信号線を接続する際に接触ばねが移動する側に、前記接触ばねと前記入力端子枠との間に位置する垂れ壁を延設しているものであり、接触ばねへの信号線の接続時に接触ばねが移動しても接触ばねが入力端子枠に接触するのを防止することができる。
【００６２】
請求項８の発明は、請求項１の発明において、前記セパレータが前記接触ばねの要所を支持する支持リブを備えるものであり、接触ばねの位置ずれを防止することができ、接触ばねの位置ずれによる高周波特性の変化を防止することができる。
【００６３】
請求項９の発明は、請求項３の発明において、前記端子カバーの内周面において接触ばねへの入力側の信号線の導入方向の移動を規制するように接触ばねに当接する段差部が形成されているものであり、接触ばねに信号線を接続する際に接触ばねが移動するのを防止することができる。
【００６４】
請求項１０の発明は、請求項１の発明において、前記出力端子枠に前記出力端子がかしめ固定され、前記セパレータにおける前記出力端子枠との対向面に、出力端子枠と出力端子とのかしめ部分を避ける凹部を形成しているものであり、出力端子を出力端子枠にかしめ固定している場合において、セパレータが出力端子枠から浮き上がるのを防止することができ、出力端子枠とセパレータとの接触面積を大きくしてセパレータのがたつきを防止することができる。また、セパレータが出力端子枠によって裏打ちされるから、セパレータに大きな強度を必要とせず、セパレータを薄肉にすることができ、全体としての薄型化につながる。
【図面の簡単な説明】
【図１】本発明の第１の実施の形態を示す分解斜視図である。
【図２】同上の横断面図である。
【図３】同上の縦断面図である。
【図４】同上に用いる端子カバーの断面図である。
【図５】同上の後面側の斜視図である。
【図６】同上の使用例を示す斜視図である。
【図７】本発明の第２の実施の形態における要部断面図である。
【図８】同上に用いるセパレータを示し、（ａ）は断面図、（ｂ）は正面図である。
【図９】本発明の第３の実施の形態を示す分解斜視図である。
【図１０】本発明の第４の実施の形態を示す分解斜視図である。
【図１１】本発明の第５の実施の形態を示す分解斜視図である。
【図１２】同上の断面図である。
【図１３】本発明の第６の実施の形態を示す分解斜視図である。
【図１４】同上を示し、（ａ）は横断面図、（ｂ）は後面図、（ｃ）は縦断面図である。
【図１５】従来例を示す分解斜視図である。
【図１６】同上の後面側の斜視図である。
【図１７】他の従来例を示す後面側の斜視図である。
【図１８】さらに他の従来例を示す分解斜視図である。
【図１９】別の従来例を示す分解斜視図である。
【符号の説明】
１０  筐体
１１  出力端子枠
１１ｂ  側片
１２  入力端子枠
１２ｂ  側片
１２ｅ  位置決め凹部
１３  セパレータ
１３ｂ，１３ｃ  支持リブ
１３ｅ  連結溝
１３ｆ  位置決め突片
１３ｉ  凹部
１６  端子カバー
１６ｃ  脚部
１６ｆ  段差部
１６ｈ  垂れ壁
１７  プリント基板
２０  カバー
３０  同軸コネクタ
３１  外側導体
３２  内側導体
３３  内部絶縁体
３４  接触ばね
５０  同軸ケーブル
【図１】
0003680667.tif 000002
【図２】
0003680667.tif 000003
【図３】
0003680667.tif 000004
【図４】
0003680667.tif 000005
【図５】
0003680667.tif 000006
【図６】
0003680667.tif 000007
【図７】
0003680667.tif 000008
【図８】
0003680667.tif 000009
【図９】
0003680667.tif 000010
【図１０】
0003680667.tif 000011
【図１１】
0003680667.tif 000012
【図１２】
0003680667.tif 000013
【図１３】
0003680667.tif 000014
【図１４】
0003680667.tif 000015
【図１５】
0003680667.tif 000016
【図１６】
0003680667.tif 000017
【図１７】
0003680667.tif 000018
【図１８】
0003680667.tif 000019
【図１９】
0003680667.tif 000020